(57)【特許請求の範囲】
【請求項１】
メタロセン化合物を触媒として製造された、下記の（ａ）〜（ｄ）の要件を満たすエチレン単独重合体および／またはα−オレフィンが２．５ｍｏｌ％以下のエチレン・α−オレフィン共重合体（Ａ）が２０〜５０重量％、および、下記（ｅ）〜（ｇ）を満たす高圧法低密度ポリエチレン（Ｂ）が８０〜５０重量％であり、下記（ｈ）〜（ｊ）を満たすことを特徴とするポリエチレン樹脂組成物。
（ａ）ＪＩＳ  Ｋ６９２２−１（１９９８年）により測定されたメルトマスフローレートが２〜１００ｇ／１０分、
（ｂ）ＪＩＳ  Ｋ６９２２−１（１９９８年）により測定された密度が９３６〜９８０ｋｇ／ｍ３、
（ｃ）ゲル浸透クロマトグラフィにより測定された重量平均分子量（Ｍｗ）と数平均分子量（Ｍｎ）の比（Ｍｗ／Ｍｎ）が３．５未満、
（ｄ）５０℃におけるｎ−ヘプタン可溶分率が０．０８重量％未満、
（ｅ）ＪＩＳ  Ｋ６９２２−１（１９９８年）により測定されたメルトマスフローレートが０．１〜２０ｇ／１０分、
（ｆ）ＪＩＳ  Ｋ６９２２−１（１９９８年）により測定された密度が９１０〜９３５ｋｇ／ｍ３、
（ｇ）ゲル浸透クロマトグラフィで測定されたｚ平均分子量が３０万以上、
（ｈ）ＪＩＳ  Ｋ６９２２−１（１９９８年）により測定されたメルトマスフローレートが１〜５０ｇ／１０分、
（ｉ）ＪＩＳ  Ｋ６９２２−１（１９９８年）により測定された密度が９２９〜９５８ｋｇ／ｍ３、
（ｊ）流動の活性化エネルギーが２３ｋＪ／ｍｏｌ以上５５ｋＪ／ｍｏｌ以下
【請求項２】
エチレン単独重合体および／またはエチレン・α−オレフィン共重合体（Ａ）がスラリー法により製造されたことを特徴とする請求項１に記載のポリエチレン樹脂組成物。
【請求項３】
請求項１又は２に記載のポリエチレン樹脂組成物を押出ラミネート成形することによって得られる積層体。
【発明の詳細な説明】
【技術分野】
【０００１】
本発明は、押出ラミネート加工に適したポリエチレン樹脂組成物およびこれを用いて得られる積層体に関するものである。さらに詳しくは、押出ラミネート成形時の発煙が少なく、冷却ロールの表面を汚しにくく、成膜性に優れるポリエチレン樹脂組成物およびこれを用いて得られる積層体に関するものである。
【背景技術】
【０００２】
一般に、高圧ラジカル法によって製造される高圧法低密度ポリエチレンは押出ラミネート加工に際して優れた成膜性を示し、各種の樹脂フィルム、紙、アルミニウム箔等の基材フィルムへの押出ラミネート用途に好適に使用されているが、融点が１００〜１２０℃程度であるため、耐熱性を要求される用途には不適であった。
【０００３】
一方、高密度ポリエチレンは高圧法低密度ポリエチレンに比べて結晶融点が高く、耐熱性に優れるものの、成膜性に劣るために押出ラミネート成形に用いるには不適であった。
【０００４】
そこで、耐熱性と成膜性を両立させるため、高圧法低密度ポリエチレンと高密度ポリエチレンを混合して用いる方法が提案されている（例えば、特許文献１参照。）。また、ＪＩＳ  Ｋ−７１１２により測定された密度が８７０〜９３５ｋｇ／ｍ３であるエチレン・α−オレフィン共重合体と、特定の高圧法低密度ポリエチレンの組成物を用いて低温で加工することにより、発煙、冷却ロール表面の汚染を抑制する手法が提案されている（例えば、特許文献２参照。）。
【０００５】
しかしながら、特許文献１に記載の方法では押出ラミネート成形時の発煙が激しく作業環境が悪化するという問題があった。さらに、冷却ロール表面の汚れが激しく、成形加工を頻繁に中断してクリーニングを行う必要があり、生産性の低下を避けることができなかった。また、特許文献２に記載の方法で得られる材料は、耐熱性が劣り、離型紙、テープ等の用途に使用できなかった。このように、これまで提案された手法では、優れた成膜性、低発煙性、冷却ロール表面の汚染抑制、耐熱性の全てを満足することは不可能であった。
【０００６】
【特許文献１】特開平６−３２２１８９号公報
【０００７】
【特許文献２】特開平９−１２４８５６号公報
【発明の開示】
【発明が解決しようとする課題】
【０００８】
本発明は、上記のような状況を鑑みなされたものであって、優れた成膜性を示すと共に、成形加工時の発煙、およびロール汚染を抑え、かつ、耐熱性に優れるポリエチレン樹脂組成物を提供することを目的とするものである。
【課題を解決するための手段】
【０００９】
本発明者らは、前記課題を解決すべく鋭意検討した結果、特定のエチレン単独重合体、および／または、エチレン・α−オレフィン共重合体（以下、これらを直鎖状エチレン系重合体と略す。）に特定の高圧法低密度ポリエチレンを適量配合することにより、押出ラミネート成形において優れた成膜性を示すと共に、成形時の発煙やロールの汚染が少なく、さらに得られた製品の耐熱性が優れることを見出し、本発明を完成させるに至った。
【００１０】
すなわち、本発明は、下記の（ａ）〜（ｄ）の要件を満たすエチレン単独重合体、および／または、α−オレフィンが２．５ｍｏｌ％以下のエチレン・α−オレフィン共重合体（Ａ）が２０〜５０重量％、および、下記（ｅ）〜（ｇ）を満たす高圧法低密度ポリエチレン（Ｂ）が８０〜５０重量％であり、下記（ｈ）〜（ｊ）を満たすことを特徴とするポリエチレン樹脂組成物に関するものである。
【００１１】
（ａ）ＪＩＳ  Ｋ６９２２−１（１９９８年）により測定されたメルトマスフローレートが２〜１００ｇ／１０分、
（ｂ）ＪＩＳ  Ｋ６９２２−１（１９９８年）により測定された密度が９３６〜９８０ｋｇ／ｍ３、
（ｃ）ゲル浸透クロマトグラフィにより測定された重量平均分子量（Ｍｗ）と数平均分子量（Ｍｎ）の比（Ｍｗ／Ｍｎ）が３．５未満、
（ｄ）５０℃におけるｎ−ヘプタン可溶分率が０．０８重量％未満、
（ｅ）ＪＩＳ  Ｋ６９２２−１（１９９８年）により測定されたメルトマスフローレートが０．１〜２０ｇ／１０分、
（ｆ）ＪＩＳ  Ｋ６９２２−１（１９９８年）により測定された密度が９１０〜９３５ｋｇ／ｍ３、
（ｇ）ゲル浸透クロマトグラフィで測定されたｚ平均分子量が３０万以上、
（ｈ）ＪＩＳ  Ｋ６９２２−１（１９９８年）により測定されたメルトマスフローレートが１〜５０ｇ／１０分、
（ｉ）ＪＩＳ  Ｋ６９２２−１（１９９８年）により測定された密度が９２９〜９５８ｋｇ／ｍ３、
（ｊ）流動の活性化エネルギーが２３ｋＪ／ｍｏｌ以上５５ｋＪ／ｍｏｌ以下
さらに、上記のポリエチレン樹脂組成物を押出ラミネート成形することによって得られる積層体に関するものである。
【００１２】
以下に、本発明を詳細に説明する。
【００１３】
本発明のポリエチレン樹脂組成物に用いられる直鎖状エチレン系重合体（Ａ）は、ＪＩＳ  Ｋ６９２２−１（１９９８年）により測定されたメルトマスフローレート（以下、ＭＦＲと記す場合がある。）が２〜１００ｇ／１０分の範囲であり、ＭＦＲが２ｇ／１０分未満では、押出機への負荷が大きくなるとともに、ドロ−ダウン性も悪化するため好ましくなく、１００ｇ／１０分を超える場合は、得られるポリエチレン樹脂組成物の耳部の安定性が悪く、ネックインも大きくなり成膜安定性が悪くなるため好ましくない。
【００１４】
直鎖状エチレン系重合体（Ａ）は、ＪＩＳ  Ｋ６９２２−１（１９９８年）により測定された密度が９３６〜９８０ｋｇ／ｍ３、好ましくは９４５〜９７０ｋｇ／ｍ３、さらに好ましくは９５３〜９６８ｋｇ／ｍ３の範囲である。密度が９８０ｋｇ／ｍ３を超える場合は、直鎖状エチレン系重合体（Ａ）の結晶が融解しにくく成形加工速度が低下し、生産性に劣り好ましくなく、密度が９３６ｋｇ／ｍ３未満では、得られるポリエチレン樹脂組成物の耐熱性が不充分であるため好ましくない。
【００１５】
さらに、直鎖状エチレン系重合体（Ａ）は、ゲル浸透クロマトグラフィを用いて、以下に示す条件下で測定し、単分散ポリスチレンを用いてユニバーサルキャリブレーション法により校正した重量平均分子量（Ｍｗ）と数平均分子量（Ｍｎ）の比（Ｍｗ／Ｍｎ）が３．５未満である。Ｍｗ／Ｍｎが３．５以上になると押出成形時の発煙、冷却ロール表面の汚染が激しいため好ましくない。
【００１６】
機種    ：ウォーターズ社製  １５０Ｃ型  ＡＬＣ／ＧＰＣ
溶媒    ：１，２，４−トリクロロベンゼン
流速    ：１ｍＬ／ｍｉｎ
温度    ：１４０℃
測定濃度：３０ｍｇ／３０ｍＬ
注入量  ：１００μＬ
カラム  ：東ソー製  ＴＳＫｇｅｌ  ＧＭＨ  ＨＲ−Ｈ  ３本
また、直鎖状エチレン系重合体（Ａ）は、低分子量成分の割合が２．０重量％未満であることが、発煙、押出ラミネート成形時の冷却ロール表面の汚染が少ないという面で好ましい。なお、低分子量成分の割合は、ゲル浸透クロマトグラフィを用いて測定した重量平均分子量（Ｍｗ）の４％未満であるピーク面積を、ピーク全体の面積で除し求めたものである。
【００１７】
さらに、直鎖状エチレン系重合体（Ａ）は、５０℃におけるｎ−ヘプタン可溶分率が０．０８重量％未満であることが、押出ラミネート成形時の発煙、冷却ロール表面の汚染が抑制されるため好ましい。
【００１８】
該直鎖状エチレン系重合体（Ａ）は、エチレン単独重合体、および／または、α−オレフィンが２．５ｍｏｌ％以下のエチレン・α−オレフィン共重合体であることを特徴とし、その中でもメタロセン化合物を触媒として製造されたものであることが好ましい。ただし、α−オレフィンの共重合量としては２．５ｍｏｌ％以下であり、２．５ｍｏｌ％を越えると、得られるポリエチレン樹脂組成物の耐熱性が劣るため好ましくない。なお、メタロセン触媒、および重合方法の詳細は以下の特許文献に記載されている方法を用いることができる。
【００１９】
特開昭６０−３５００６号公報、特開昭６０−３５００７号公報、特開昭６０−３５００８号公報、特開平３−１６３０８８号公報、特開昭６１−２９６００８号公報、特開昭６３−２２８０４号公報、特開昭５８−１９３０９号公報、特開昭６３−６１０１０号公報、特開昭６３−１５２６０８号公報、特開昭６３−２６４６０６号公報、特開昭６３−２８０７０３号公報、特開昭６４−６００３号公報、特開平１−９５１１０号公報、特開平３−６２８０６号公報、特開平１−２５９００４号公報、特開昭６４−４５４０６号公報、特開昭６０−１０６８０８号公報、特開昭６０−１３７９１１号公報、特開昭６１−２９６００８号公報、特公表昭６３−５０１３６９号公報、特開昭６１−２２１２０７号公報、特開平２−２２３０７号公報、特開平２−１７３１１０号公報、特開平２−３０２４１０号公報、特開平１−１２９００３号公報、特開平１−２１０４０４号公報、特開平３−６６７１０号公報、特開平３−７０７１０号公報、特開平１−２０７２４８号公報、特開昭６３−２２２１７７号公報、特開昭６３−２２２１７８号公報、特開昭６３−２２２１７９号公報、特開平１−１２４０７号公報、特開平１−３０１７０４号公報、特開平１−３１９４８９号公報、特開昭６１−２６４０１０号公報、特開平１−２７５６０９号公報、特開昭６３−２５１４０５号公報、特開昭６４−７４２０２号公報、特開平２−４１３０３号公報、特開平３−５６５０８号公報、特開平３−７０７０８号公報、特開平３−７０７０９号公報。
【００２０】
本発明のポリエチレン樹脂組成物に用いられる高圧法低密度ポリエチレン（Ｂ）は、従来公知の高圧ラジカル重合法により得ることができる。
【００２１】
高圧法低密度ポリエチレン（Ｂ）は、ＪＩＳ  Ｋ６９２２−１（１９９８年）により測定されたＭＦＲが０．１〜２０ｇ／１０分、好ましくは１〜１５ｇ／１０分、さらに好ましくは１〜４ｇ／１０分の範囲である。ＭＦＲが２０ｇ／１０分を超えると、得られるポリエチレン樹脂組成物を押出ラミネート加工に供した場合のネックインが大きくなるために好ましくなく、０．１ｇ／１０分未満の場合は、押出ラミネート成形に供した際の押出負荷が高くなり、また、押出ラミネート加工に供し得られた積層体の外観が悪化するため好ましくない。
【００２２】
さらに、高圧法低密度ポリエチレン（Ｂ）は、ＪＩＳ  Ｋ６９２２−１（１９９８年）により測定された密度が９１０〜９３５ｋｇ／ｍ３の範囲であり、密度が９３５ｋｇ／ｍ３を超える場合は、得られるポリエチレン樹脂組成物の成膜安定性が悪化し好ましくなく、密度が９１０ｋｇ／ｍ３未満では、フィルムの自己粘着性が増してブロッキングが起こり好ましくない。
【００２３】
また、高圧法低密度ポリエチレン（Ｂ）は、ゲル浸透クロマトグラフィ−固有粘度連続測定において求められる、分子量１０万の収縮因子が０．５以下であり、分子量１００万の収縮因子が０．２以下であることが好ましく、これによって得られる樹脂組成物の成膜性は向上する。収縮因子（ｇ’と呼ばれることもある）とは、分岐高分子の固有粘度と分岐高分子と同じ分子量を有する直鎖状高分子の固有粘度との比によって決定される分岐の程度を反映するパラメータであり、「志賀周二郎、高分子加工、４８巻７号２６ページ（１９９９年）」などに詳細が記されている。
【００２４】
高圧法低密度ポリエチレン（Ｂ）は、ゲル浸透クロマトグラフィにより測定されたｚ平均分子量が、直鎖状ポリエチレン換算で３０万以上、好ましくは４５万以上、さらに好ましくは６０万以上であることを特徴とする。ｚ平均分子量が３０万未満であると、得られる樹脂組成物の成膜安定性が悪化し好ましくない。
【００２５】
さらに、高圧法低密度ポリエチレン（Ｂ）は、スウェル比が２．１５以上であることが好ましい。２．１５未満の場合は、加工の際のネックインが大きくなることがある。なお、スウェル比は以下の方法で求められる。
【００２６】
ＪＩＳ  Ｋ６９２２−１（１９９８年）で使用されるメルトインデクサーを用い、温度２３５℃、押出量３ｇ／分の条件にて、装置に充填された樹脂をオリフィスより押し出す。オリフィス直下に設置したイソプロパノールを入れたメスシリンダーで冷却固化して得られるストランド径（Ｄ）をメルトインデクサーのオリフィス径（Ｄ０）で除した値、Ｄ／Ｄ０をスウェル比とする。
【００２７】
本発明のポリエチレン樹脂組成物に用いられる直鎖状エチレン系重合体（Ａ）と高圧法低密度ポリエチレン（Ｂ）の配合比率は、重量比率で（Ａ）／（Ｂ）が２０／８０〜５０／５０の範囲である。直鎖状エチレン系重合体（Ａ）が５０重量％を超えると、ネックインが大きく、得られるポリエチレン樹脂組成物の成膜性が劣るため好ましくなく、２０重量％未満の場合、耐熱性が不足するため好ましくない。
【００２８】
本発明のポリエチレン樹脂組成物は、直鎖状エチレン系重合体（Ａ）のペレットと、高圧法低密度ポリエチレン（Ｂ）のペレットを固体状態で混合したペレット混合物であってもよいが、押出機、ニ−ダ−、バンバリ−等で溶融混練した混合物の方が、品質の安定した製品が得られるので好ましい。
【００２９】
さらに、本発明のポリエチレン樹脂組成物は、ＪＩＳ  Ｋ６９２２−１（１９９８年）により測定されたＭＦＲが１〜５０ｇ／１０分の範囲であり、ＭＦＲが５０ｇ／１０分を超える場合は、得られるポリエチレン樹脂組成物の耳部の安定性が悪く、ネックインも大きくなり成膜安定性が悪くなるため好ましくなく、ＭＦＲが１ｇ／１０分未満では、押出機への負荷が大きくなるとともに、ドロ−ダウン性も悪化するため好ましくない。
【００３０】
本発明のポリエチレン樹脂組成物は、ＪＩＳ  Ｋ６９２２−１（１９９８年）により測定された密度が９２９〜９５８ｋｇ／ｍ３、好ましくは９３８〜９５８ｋｇ／ｍ３、さらに好ましくは９４３〜９５８ｋｇ／ｍ３の範囲であり、密度が９５８ｋｇ／ｍ３を超える場合には、結晶が融解しにくく、成形速度を低下させねばならないため生産性に劣り好ましくなく、密度が９２９ｋｇ／ｍ３未満であると、得られるポリエチレン樹脂組成物の耐熱性が不充分となるため好ましくない。
【００３１】
また、本発明のポリエチレン樹脂組成物は、流動の活性化エネルギーが２３ｋＪ／ｍｏｌ以上５５ｋＪ／ｍｏｌ以下の範囲であり、２３ｋＪ／ｍｏｌ未満では成膜性が劣り、５５ｋＪ／ｍｏｌを超えると耐熱性が劣るため好ましくない。流動の活性化エネルギーは動的粘弾性を異なる温度で測定し、シフトファクターがアレニウス型に従うことを仮定して求めることができる。求め方の詳細は、例えば、「講座レオロジー、ｐ．９１、日本レオロジー学会編、高分子刊行会（１９９２）。」に記されている。
【００３２】
本発明のポリエチレン樹脂組成物は、完全灰化した残分を誘導結合プラズマ発光分光分析装置で測定して求められるチタン、クロム、バナジウムの合計含有量が０．１ｐｐｍ以下であることが押出ラミネート成形時の発煙、冷却ロール表面の汚染が少なくなるため好ましい。
【００３３】
また、本発明におけるポリエチレン樹脂組成物は、示差走査熱量計により測定された融点が１２６℃以上、好ましくは１２８℃以上であることを特徴とする。融点が１２６℃未満であると、得られるポリエチレン樹脂組成物の耐熱性が不充分となることがある。
【００３４】
本発明におけるポリエチレン樹脂組成物は、必要に応じて、酸化防止剤、耐候安定剤、帯電防止剤、滑剤、ブロッキング防止剤等、ポリオレフィン樹脂に一般的に用いられている添加剤を添加してもかまわない。
【００３５】
本発明のポリエチレン樹脂組成物は、シングルラミネート成形法、サンドウィッチラミネート成形法、共押出ラミネート成形法等の各種押出ラミネート成形法により、クラフト紙、グラシン紙、上質紙、印刷紙に代表される紙基材等にラミネートし、積層体を得ることができる。例えば、押出ラミネート加工に供する際、基材との良好な接着性を得るため、本発明のポリエチレン樹脂組成物を２５０〜３５０℃の温度でダイより押し出すことが好ましい。またポリエチレン樹脂組成物からなる溶融フィルムの少なくとも基材と接する面は、空気もしくはオゾンガスにより酸化されていてもよい。また基材との接着性を高めるため、基材のポリエチレン樹脂組成物と接する面に対してアンカーコート剤処理、コロナ放電処理、フレーム処理、プラズマ処理などの公知の表面処理を施してもよい。
【００３６】
このような積層体は耐熱性が要求される用途である、例えば、離型紙、紙カップ等の液体紙容器；紙テープ；布テープなどに好適に使用される。
【発明の効果】
【００３７】
本発明のポリエチレン樹脂組成物は、押出ラミネート成形における成膜性が良好であり、押出ラミネート成形時の発煙量、冷却ロール表面の汚れが抑制されると共に、十分な耐熱性を示す、優れたポリエチレン樹脂組成物である。
【実施例】
【００３８】
以下、実施例により本発明をさらに詳細に説明するが、本発明はこれらの実施例に限定されるものではない。
【００３９】
重合操作、反応および溶媒精製は、すべて不活性ガス雰囲気下で行った。また、反応に用いた溶媒等は、すべて予め公知の方法で精製、乾燥、脱酸素を行ったものを用いた。さらに、反応に用いた化合物は、公知の方法により合成、同定したものを用いた。
【００４０】
以下に、物性、加工性の評価方法を示す。
【００４１】
（１）メルトマスフローレート（ＭＦＲ）
ＪＩＳ  Ｋ６９２２−１（１９９８年）に準拠し、測定した。
【００４２】
（２）密度
ＪＩＳ  Ｋ６９２２−１（１９９８年）に準拠し、測定した。
【００４３】
（３）分子量分布
ゲル浸透クロマトグラフィを用いて、以下に示す条件下で測定し、重量平均分子量（Ｍｗ）と数平均分子量（Ｍｎ）の比、Ｍｗ／Ｍｎを分子量分布として求めた。
【００４４】
機種    ：ウォーターズ社製  １５０Ｃ型  ＡＬＣ／ＧＰＣ
溶媒    ：１，２，４−トリクロロベンゼン
流速    ：１ｍＬ／ｍｉｎ
温度    ：１４０℃
測定濃度：３０ｍｇ／３０ｍＬ
注入量  ：１００μＬ
カラム  ：東ソー製  ＴＳＫｇｅｌ  ＧＭＨ  ＨＲ−Ｈ  ３本
（４）低分子量成分の割合
分子量分布の測定と同じ条件で、ゲル浸透クロマトグラフィにより測定し、直鎖状ポリエチレン換算で重量平均分子量（Ｍｗ）を求め、このＭｗの４％未満であるピーク面積をピーク全体の面積で除し、低分子量成分の割合として求めた。
【００４５】
（５）ｎ−ヘプタン可溶分率
試料２ｇを４００ｍＬのｎ−ヘプタン中へ入れ、５０℃湯浴中に２時間置浸した後、濾過した。ろ液を濃縮、乾燥させたものの重量を秤量しｎ−ヘプタン可溶分を求め、試料の重量からｎ−ヘプタン可溶分率を計算した。
【００４６】
（６）収縮因子
ゲル浸透クロマトグラフィ−固有粘度連続測定により評価された、分岐高分子の固有粘度と、分岐高分子と同じ分子量の直鎖状高分子の固有粘度の比を収縮因子として求めた。直鎖状高分子として高密度ポリエチレンを用いた。測定条件は以下に示すとおりである。
【００４７】
機種    ：東ソー製  ＨＬＣ−８１２１ＧＰＣ／ＨＴ
検出器  ：Ｖｉｓｃｏｔｅｃｈ社製  Ｒ２２０
溶離液  ：１，２，４−トリクロロベンゼン
（０．５ｍｇ／ｍＬ  ＢＨＴ添加）
流速    ：１．０ｍＬ／ｍｉｎ
温度    ：１４５℃
測定濃度：２ｍｇ／ｍＬ
注入量  ：３００μＬ
カラム  ：東ソー製  ＴＳＫｇｅｌ  ＧＭＨ  ＨＲ−Ｈ  ３本
（７）ｚ平均分子量
分子量分布の測定と同じ条件で、ゲル浸透クロマトグラフィにより測定し、直鎖状ポリエチレン換算でｚ平均分子量を求めた。
【００４８】
（８）スウェル比
ＪＩＳ  Ｋ６９２２−１（１９９８年）で使用されるメルトインデクサーを用い、温度２３５℃、押出量３ｇ／分の条件にて、装置に充填された樹脂をオリフィスより押し出した。オリフィス直下に設置したメスシリンダー中のイソプロパノールで冷却固化して得られるストランド径（Ｄ）をメルトインデクサーのオリフィス径（Ｄ０）で除した値、Ｄ／Ｄ０をスウェル比として求めた。
【００４９】
（９）流動の活性化エネルギー
動的粘弾性測定装置として、円錐−円板型レオメーター（レオメトリックス社製  ストレスレオメーター  ＳＲ２０００）を用いて１４５℃、１６０℃、１９０℃における動的剪断弾性率の周波数依存性を測定した。得られた値から、「講座レオロジー、ｐ．９１、日本レオロジー学会編、高分子刊行会（１９９２）。」に記載の方法で流動の活性化エネルギーを求めた。
【００５０】
（１０）金属（チタン、クロム、バナジウム）の合計含有量
試料５０ｇを白金皿に入れ、ガスバーナー、電気炉で完全灰化して得た灰分に、ホットプレート上で２０％塩酸５ｍＬを加え溶解し蒸発乾固させた後、２０％塩酸２ｍＬを加え溶解した。５Ｃ濾紙で濾過し、濾過残分と濾紙を白金皿に戻し灰化しその上に炭酸ナトリウム０．３ｇ、四ホウ酸ナトリウム０．５ｇを加え９５０℃電気炉にて４０分間燃焼させた。その後水に溶解し、２０％塩酸４ｍＬを加えた液を誘導結合プラズマ発光分光分析装置（ＩＣＰ）（京都光研製、商品名  ＩＣＰ−ＡＥＳ  ＵＯＰ−１  ｍａｒｋＩＩ）にて測定し、チタン、クロム、バナジウム濃度を求めた。
【００５１】
（１１）融点
パーキンエルマー（株）社製、示差走査熱量計ＤＳＣ−７を用い、１０ｍｇの試料を１０℃／分で室温から１５０℃まで昇温して得られた吸熱ピークが最大値を示す温度を融点として求めた。
【００５２】
（１２）発煙
得られたポリエチレン樹脂組成物を直径９０ｍｍφのスクリューを有する単軸押出ラミネーター（ムサシノキカイ（株）製）へ供給し、３２０℃の温度でＴダイよりスクリュー回転数６０ｒｐｍで押し出し、クラフト紙上に、引き取り速度１００ｍ／分で３０μｍの厚さになるよう押出ラミネート成形を行った際の発煙量を目視により評価した。この際、同条件でラミネート成形した高圧法低密度ポリエチレン（東ソー（株）製  商品名ペトロセン２０３）よりも発煙量が少ない場合を〇、多い場合を×、同等の場合を△とした。
【００５３】
（１３）冷却ロール表面の汚染
得られたポリエチレン樹脂組成物を直径９０ｍｍφのスクリューを有する単軸押出ラミネーター（ムサシノキカイ（株）製）へ供給し、３２０℃の温度でＴダイよりスクリュー回転数６０ｒｐｍで押し出し、クラフト紙上に、引き取り速度１００ｍ／分で３０μｍの厚さになるよう押出ラミネート成形を行い、連続して１０００ｍ成形した際の冷却ロール表面の汚染を目視により評価した。この際、同条件でラミネート成形した高圧法低密度ポリエチレン（東ソー（株）製  商品名ペトロセン２０３）よりも冷却ロール表面の汚染が少ない場合を〇、多い場合を×、同等の場合を△とした。
【００５４】
直鎖状エチレン系重合体（Ａ）は、以下に示す方法により合成した。合成の際、重合操作、反応および溶媒精製は、すべて不活性ガス雰囲気下で行った。また、反応に用いた溶媒等は、すべて予め公知の方法で精製、乾燥、脱酸素を行ったものを用いた。さらに、反応に用いた化合物は、公知の方法により、合成、同定したものを用いた。
【００５５】
合成例１（直鎖状エチレン系重合体（Ａ１）の合成）
［固体触媒成分の合成］
攪拌装置を備えた１０Ｌのオートクレーブに、シリカ（ダビソン９４８、２００℃、５時間減圧焼成）２１２ｇ、トルエン４Ｌおよび（ｐ−Ｎ，Ｎ−ジメチルアミノフェニル）トリメトキシシラン８０ｇ（３３１ｍｍｏｌ）を加え、１１０℃で１６時間攪拌した。反応終了後、トルエンで４回洗浄した。得られたシラン化合物で修飾したシリカ中の炭素含量は４．２重量％であった。
【００５６】
５Ｌのフラスコに、このシラン化合物で修飾したシリカ１８７ｇを加え、ジエチルエーテル２Ｌに懸濁させ、塩化水素ガスを室温で３０分間吹き込んだ後、ヘキサンにて洗浄し、減圧乾燥させた。これをさらに塩化メチレン２．４Ｌに懸濁させた後、リチウムテトラキス（ペンタフルオロフェニル）ボレート２４ｇ（３５ｍｍｏｌ）の塩化メチレン（１．６Ｌ）溶液を加え、室温で３時間攪拌した。塩化メチレンで３回洗浄した後、真空乾燥し、固体触媒を得た。
【００５７】
［重合］
内容積３７０Ｌの重合器に、ヘキサンを１００ｋｇ／時、エチレンを４０ｋｇ／時、水素を９０ＮＬ／時、ビスシクロペンタジエニルジルコニウムジクロライド（５３０μｍｏｌ）／時、前記固体触媒を９．５ｇ／時に相当する速度で連続的に供給した。加えて、液中のトリイソブチルアルミニウムの濃度を１ｍｍｏｌ／ｋｇとなるようにトリイソブチルアルミニウムを連続的に供給し、重合温度は８５℃に制御した。重合器で生成した直鎖状エチレン系重合体を含むスラリーは、フラッシュタンク、ポンプを経て、遠心分離器で直鎖状エチレン系重合体とヘキサンに分離し、直鎖状エチレン系重合体（Ａ１）約１６０ｋｇを得た。得られた直鎖状エチレン系重合体はエチレン単独重合体であり、そのＭＦＲは３２ｇ／１０分、密度は９６５ｋｇ／ｍ３、分子量分布（Ｍｗ／Ｍｎ）は３．０、ｎ−ヘプタン可溶分率は０．０４重量％及び低分子量割合は１．７重量％であった。
【００５８】
実施例１
直鎖状エチレン系重合体（Ａ）として、合成例１で得たエチレン単独重合体（Ａ１）を３５重量％、高圧法低密度ポリエチレン（Ｂ）としてＭＦＲが１．６ｇ／１０分、密度が９１９ｋｇ／ｍ３、ｚ平均分子量８３×１０４である高圧法低密度ポリエチレン（東ソー（株）製  商品名ペトロセン３６０）（Ｂ１）を６５重量％配合し、二軸押出機にて１８０℃で溶融混練しペレットを得た。得られたペレットを用いて、ＭＦＲ、密度、結晶融点、金属含有量を測定した。
【００５９】
さらに、得られたペレットを直径９０ｍｍφのスクリューを有する単軸押出ラミネーター（ムサシノキカイ（株）製）へ供給し、３００℃の温度でＴダイよりスクリュー回転数６０ｒｐｍで押し出し、クラフト紙上に引き取り速度１００ｍ／分で３０μｍの厚さになるよう押出ラミネート成形を行い、発煙性、冷却ロール汚染性を評価した。ポリエチレン樹脂組成物の特性および加工性評価の結果を表１に示す。
【００６０】
比較例１
高圧法低密度ポリエチレン（Ｂ）として、ＭＦＲが０．６ｇ／１０分、密度が９２２ｋｇ／ｍ３、ｚ平均分子量２４×１０４である高圧法低密度ポリエチレン（東ソー（株）製  商品名ペトロセン１７５Ｋ）（Ｂ２）を用いた以外は実施例１と同様の方法でエチレン単独重合体（Ａ１）と溶融混合し、ペレットを得、各種物性測定を実施した。さらに、得られたペレットを実施例１と同様にして押出ラミネート成形を試みた。その結果を表１に示すが、成膜性に乏しく積層体を得ることができなかった。
【００６１】
比較例２
エチレン単独重合体（Ａ１）のみを用いて、実施例１同様に押出ラミネート成形を試みた。その結果を表１に示すが、ネックインが大きく成膜性に乏しかったため、積層体を得ることができなかった。
【００６２】
比較例３
高圧法低密度ポリエチレン（Ｂ１）のみを用いて、実施例１同様に押出ラミネート成形を行い、発煙性、冷却ロール汚染性を評価した。ポリエチレン樹脂組成物の特性および加工性評価の結果を表１に示すが、耐熱性が劣り、かつ、成形時の発煙及び冷却ロール表面の汚染が若干見られた。
【００６３】
【表１】
0004747501.tif 000002